(57)【要約】  【課題】  身体に押圧してマッサージする場合の身体との摩擦抵抗を低減でき、マッサージ効果を高めることができるようにする。  【解決手段】  略円錐形をなし、粒状及び／又は粉末状の負に帯電された珪素（Ｓｉ）３を封入してなるガラス容器４の大径側がモータの出力軸に取着されており、前記ガラス容器４を被覆し、該ガラス容器４の尖部と対向する位置に貫通孔を有する導電被覆部材を備えており、ガラス容器４を回転させつつ導電被覆部材５の貫通孔５ａ側を身体に押圧してマッサージすることができるようにした。【選択図】      図１
2005320306.tif 000002
【特許請求の範囲】
【請求項１】
流動パラフィンを主成分とし、ごま油、石灰、白砂、塩を含有していることを特徴とするマッサージ剤。
【請求項２】
略円錐形をなし、粒状及び／又は粉末状の負に帯電されたＳｉ又はＳｉＯx （０＜ｘ≦２）を封入してなるガラス容器の大径側がモータの出力軸に取着されたマッサージ具において、前記ガラス容器を被覆し、該ガラス容器の尖部と対向する位置に貫通孔を有する導電被覆部材を備えることを特徴とするマッサージ具。
【発明の詳細な説明】
【技術分野】
【０００１】
本発明は、頭痛、肩こり等の筋肉痛の症状を改善するためのマッサージ剤及びマッサージ具に関する。
【背景技術】
【０００２】
筋肉痛は、筋肉の緊張が亢進して生じ、いわゆる「こり」という自覚症状を伴うことが多い。筋肉がこる場合の最も一般的な原因は疲労である。疲労により筋肉の血液の循環に障害が生じると、酸素及びエネルギー源の供給が充分でなくなり、嫌気性解糖がさかんに行われるようになる。その結果、産生された乳酸等の疲労物質が蓄積されて、筋肉のタンパク質が膠質化学的変化を起こし、筋肉の硬度が増加して「こり」の状態になる。また、精神的緊張、及び内蔵に疼痛の原因になるような疾患がある場合の筋肉の反射性緊張も筋肉の「こり」の原因となる。
【０００３】
「こり」は、筋肉内又はその筋肉が付着する骨膜に分布する知覚神経が筋肉の緊張により機械的刺激を受けるため、痛みとして自覚される。筋肉の血流障害が筋繊維の萎縮と筋繊維内脂肪浸潤とを引き起こし、引き続いて起こる限局性筋炎が疼痛の原因となることもある。
いずれにしても筋肉の緊張によって血流量が減少すると、微小血管拡張系が活動してカリウムイオン及び乳酸等の発痛物質の遊離が促進される。また、ｐＨが低下している筋組織では発痛物質を破壊する酵素の活動は抑制されており、阻血によって発痛物質の流出が妨げられ、筋肉内に蓄積されることも疼痛の発現の原因となる。
【０００４】
筋肉痛が生じた場合には、例えば指又はマッサージ具でマッサージすることにより筋肉の血流を改善している。
マッサージ具は例えば特許文献１に記載されている。特許文献１のマッサージ具は把持することが可能な把持部材と、該把持部材に内蔵されたモータと、略円錐形をなし、粒状若しくは粉末状の負に帯電されたＳｉ又はＳｉＯx （０＜ｘ≦２）を封入してなるガラス容器とを備え、該ガラス容器が前記モータの出力軸に取着されており、ガラス容器を回転させつつ該ガラス容器の尖部を患部に押圧し、筋肉の血流を改善することができるように構成されている。
【０００５】
また、身体が正に帯電した場合は、身体において血液及びリンパ液等の体液の流れが悪くなり、血圧上昇、血糖増加、血管収縮及び利尿抑制等の身体作用が生じ、その結果、細胞の活性が減じ、美容上のトラブル、健康障害及び疾病が誘発されるが、負電荷が身体に供給されることにより、体液の流れが良くなって、血圧下降、血糖減少、血管拡張及び利尿促進等の身体作用が生じることが知られている。
【特許文献１】国際公開第０１／０５８５２１号パンフレット
【発明の開示】
【発明が解決しようとする課題】
【０００６】
ところが、特許文献１のマッサージ具は、モータにより回転されるガラス容器が回転しつつ身体に接触するため、身体への押圧力が高い場合は身体との摩擦抵抗が増加し、身体に痛みを感じることになり、改善策が要望されていた。また、マッサージすることにより体液の流れを良好にできるマッサージ剤が要望されていた。
【０００７】
本発明は斯かる事情に鑑みてなされたものであり、主たる目的は流動パラフィンを主成分とし、ごま油、石灰、白砂、塩を含有したマッサージ剤を頭部及び首部に塗ってマッサージすることにより、頭痛及び肩こりを軽減でき、さらに頭部及び首部のマッサージを継続することにより美白にできるマッサージ剤を提供することにある。
【０００８】
また、他の目的は大径側がモータの出力軸に取着されたガラス容器を被覆し、該ガラス容器の尖部と対向する位置に貫通孔を有する導電被覆部材を備える構成とすることにより、身体に対する静電気軽減除去の即効性が高く、しかも、身体との摩擦抵抗を低減でき、身体への押圧力を高めることができるマッサージ具を提供することにある。
【課題を解決するための手段】
【０００９】
第１発明のマッサージ剤は、流動パラフィンを主成分とし、ごま油、石灰、白砂、塩を含有していることを特徴とする。
【００１０】
第１発明にあっては、マッサージ剤を頭部、首部等の身体に塗り、指でマッサージすることにより、頭部、首部等の体液の流れを改善でき、頭痛及び肩こりを軽減できる。しかも、頭部及び首部のマッサージを継続することにより美白にできる。
【００１１】
第２発明のマッサージ具は、略円錐形をなし、粒状及び／又は粉末状の負に帯電されたＳｉ又はＳｉＯx （０＜ｘ≦２）を封入してなるガラス容器の大径側がモータの出力軸に取着されたマッサージ具において、前記ガラス容器を被覆し、該ガラス容器の尖部と対向する位置に貫通孔を有する導電被覆部材を備えることを特徴とする。
ここで、負に帯電するとは、負電荷を与えられること、負の静電気を帯びることを意味する。また、Ｓｉの酸化物としては、ＳｉＯ2 又はＳｉＯだけでなく、ｘとして小数点付きの酸化物もあり、この存在は永見剛一が著した「ＳｉＯ蒸着膜の性質」という研究論文で明らかにされている。
【００１２】
第２発明にあっては、ガラス容器は略円錐形をなしているため、電界がガラス容器の尖部近傍に集中することになり、この集中した電界で負電荷が導電被覆部材の貫通孔から外部へ放出され、身体に対する静電気軽減除去の効果が高く、静電気を除去することが可能である。しかも、非回転の導電被覆部材を身体に接触させつつマッサージすることができるため、身体との摩擦抵抗を低減でき、身体への押圧力を高めることができる。また、ガラス容器は回転させて使用するため、非回転に較べて負電荷がより多く放出され、身体に対する静電気軽減除去の即効性が高くなり、深部に帯電している静電気を除去することが可能になる。また、回転による微振動により体液の流れがより改善される。従って、体液の流れを効果的に改善して、症状を軽減することができる。
【００１３】
ガラス容器を静止させた場合と、回転させた場合とにつき、ガラス容器近傍の静電電位を測定した。測定条件は以下の通りである。
測定室：６ｍ×９ｍ×２．７ｍ
室温：２４℃
湿度：３３％
測定器：静電電位測定器（春日電気（株）製ＫＳＤ０１０３）
ガラス容器の形状：底面の直径６ｃｍ、高さ６ｃｍ
測定方法：（１）ガラス容器を絶縁体からなるテーブル上に静置する、
（２）ガラス容器を上記テーブルに載置したモータ（オリエンタルモータ（株）製４ＩＫ４０Ａ−Ｂ）により回転させる（回転数２９００ｒｐｍ）、
の２つの場合につき、ガラス容器の頂点及び底面から水平方向に３ｃｍ離れた位置において、上記測定器により静電電位を測定するのを複数回繰り返した。
その結果を表１に示す。
【００１４】
【表１】
2005320306.tif 000003
【００１５】
（１）、（２）それぞれの場合につき室内の電位を測定すると、−０．１ｋＶ、−０．０ｋＶであった。表１よりガラス容器は負電荷を放出しており、その電位の絶対値は（２）の方が（１）より大きいことが確認された。
【発明の効果】
【００１６】
第１発明によれば、マッサージ剤を身体に塗り、マッサージすることにより、体液の流れを改善することができ、頭痛及び肩こりを軽減できる。しかも、頭部のマッサージを継続することにより美白にできる。
【００１７】
第２発明によれば、電界をガラス容器の尖部近傍に集中させ、この集中した電界で負電荷を導電被覆部材の貫通孔から外部へ放出させ得るため、身体に対する静電気軽減除去の即効性を高くでき、深部に帯電している静電気を除去することが可能であり、しかも、身体との摩擦抵抗を低減でき、身体への押圧力を高めることができ、マッサージ効果を高めることができる。
【発明を実施するための最良の形態】
【００１８】
以下、本発明をその実施の形態を示す図面に基づいて詳述する。図１はマッサージ具の構成を示す断面図である。
マッサージ具は、把持することが可能な大きさの円筒形とした把持部材１と、該把持部材１に内蔵されたモータ２と、該モータ２の出力軸２ａに取着され、粒状及び／又は粉末状の珪素（Ｓｉ）３を封入してなる第１のガラス容器４と、該ガラス容器４を被覆し、把持部材１の一端側と一体に形成された導電被覆部材５と、把持部材１の他端側内部に収容され、粒状及び／又は粉末状の珪素（Ｓｉ）３を封入してなる第２のガラス容器６とを備えている。
【００１９】
把持部材１は一端側が導電被覆部材５と一体に形成された円筒体１１と、該円筒体１１の他端側に螺着され、第２のガラス容器５を被覆した被覆筒体１２とを有しており、円筒体１１内に、モータ２が収容保持された保持筒７が螺着されている。
【００２０】
この保持筒７は一端に底部７ａを有し、他端に蓋体７ｂが複数本の小ねじ８により取着されれており、底部７ａに穿設された複数個の孔に挿入された小ねじ９によりモータ２が固定されている。
【００２１】
このモータ２の出力軸２ａは底部７ａの中央部に穿設された孔７ｃから導電被覆部材５内に延出されており、該出力軸２ａに回転台１０が嵌合固定されている。尚、円筒体１１及び保持筒７にはモータ２の駆動回路に接続された電源線２０が挿通される挿通孔１１ａ，７ｄが設けられている。
【００２２】
第１のガラス容器４は略円錐形をなしており、また、第２のガラス容器６は擬宝珠形をなしており、第１及び第２のガラス容器４，６のそれぞれの内部に負に帯電させた粒状及び／又は粉末状の珪素（Ｓｉ）が封入、密閉されている。また第１のガラス容器４は大径側の端面が回転台１０に両面テープ２１により取着されており、第２のガラス容器６は両面テープ２２により、蓋体７ｂの湾曲凹部に取着されている。珪素は以下のようにして負電荷を付与される。
【００２３】
導電被覆部材５は導電性を有するアルミニウム製の筒体からなり、第１のガラス容器４の尖部と対向する位置に貫通孔５ａを有しており、該貫通孔５ａ側が小径となる略円錐形をなしている。
【００２４】
図２は本発明に係るマッサージ具の製造に適用する負電荷付与装置を示す斜視図である。負電荷付与装置は、石英坩堝２３、一対の銅板２４，２４、コード２５及び静電気軽減除去装置２６を備えたものである。静電気軽減除去装置２６は、特開平１１−８７０８６号公報に開示されている。開口面の内径が略４０ｃｍ、高さが略４０ｃｍの石英坩堝２３の開口側外縁部及び底部が、それぞれ銅板２４，２４及びコード２５を介して静電気軽減除去装置２６に接続されている。
【００２５】
静電気軽減除去装置２６を作動させ、石英坩堝２３に負電荷を３時間程度供給し、石英坩堝２３から正の静電気を十分に除去した後、Ｓｉ純度が９９．５％の珪素（粒径０．２〜２ｍｍ）３を１ｋｇ、開口側から石英坩堝２３に投入し、静電気軽減除去装置２６を作動させた状態で、所定時間（３〜１５分）放置し、珪素３を負に帯電させる。
【００２６】
以上のように構成されたマッサージ具は例えば次に示すマッサージ剤を用いた後、頭部及び首部のマッサージに用いられる。
【００２７】
マッサージ剤は、液化した流動パラフィン７４〜８０重量％、ごま油１４〜２０重量％、石灰２重量％、白砂２重量％、塩２重量％を含有する。マッサージ剤はイオン発生装置により発生した負イオンのイオン濠の空間で坩堝内に投入して混合させ、さらにイオン濠の空間で電気炉等により焼成して製造される。
【００２８】
頭部及び首部をマッサージする場合、前記マッサージ剤を頭部及び首部に塗布し、指で適宜の時間マッサージする。指によるマッサージ後、界面活性剤を主成分とする洗髪剤によりマッサージ剤を洗い落す。マッサージ剤でマッサージすることにより、頭部及び首部の体液の流れを改善でき、頭痛及び肩こりを改善でき、しかも、頭部のマッサージを継続することにより美白にできる。
【００２９】
マッサージ剤を洗い落した後、マッサージ具を把持し、モータ２を駆動し、負に帯電された珪素３が封入された第１のガラス容器４を回転させつつ導電被覆部材５の貫通孔５ａ側を頭部及び首部に押圧し、この押圧位置を変えて頭部及び首部を満遍なくマッサージする。マッサージ具は、負に帯電された珪素３が封入された第１のガラス容器４が略円錐形をなしているため、電界はガラス容器４の尖部近傍に集中することになり、この集中した電界で負電荷が導電被覆部材５の貫通孔５ａから外部へ放出されることになり、この負電荷を身体の患部に加えることができる。しかも、非回転の導電被覆部材５を身体に接触させつつマッサージすることができるため、身体との摩擦抵抗を低減でき、身体への押圧力を高めることができ、マッサージ効果を高めることができる。また、第１のガラス容器４を静止させて使用した場合は、身体に帯電していた静電気を徐々に除去するのに対し、回転させて使用した場合は、急速に静電気を除去することができ、即効性が高い。また、身体の深部に帯電している静電気を除去することも可能である。
【００３０】
第１のガラス容器４を回転させることの効果を調べるために、導電被覆部材５により頭髪をなで、その前後における頭髪の静電電位を測定した。測定条件は以下の通りである。
測定室：６ｍ×９ｍ×２．７ｍ
室温：２４℃
湿度：３３％
測定器：静電電位測定器（春日電気（株）製ＫＳＤ０１０３）
第１のガラス容器４の形状：底面の直径６ｃｍ、高さ６ｃｍ
測定方法：（１）第１のガラス容器４を静止させる、
（２）第１のガラス容器４をモータ（オリエンタルモータ（株）製４ＩＫ４０Ａ−Ｂ）により回転させる（回転数２９００ｒｐｍ）、
の２つの場合につき、導電被覆部材５の貫通孔５ａ側で頭部全体を３０秒間なで、その前後における頭髪の静電電位を測定するのを複数回繰り返した。
その結果を表２に示す。
【００３１】
【表２】
2005320306.tif 000004
【００３２】
表２より、導電被覆部材５を身体に当接することにより、身体に帯電していた正の静電気が略零に、さらには負の静電気に変化することが確認された。そして、その効果は（２）の方が（１）の場合より大きいことが確認された。
【００３３】
また、把持部材１に内蔵されたモータ２の近傍には負に帯電された珪素３が封入された第２のガラス容器６が配置されているため、モータ２の回転トルクが略３０％増加して、モータ２の寿命が長くなることが確認された。
【００３４】
尚、以上説明した実施の形態ではガラス容器４，５内に珪素（Ｓｉ）を封入しているが、その他、ＳｉＯx （０＜ｘ≦２）を封入してもよい。ＳｉＯx の組成としては、０＜ｘ≦２で良好な効果が得られるが、ｘが２を超えるとほとんど効果はない。
【図面の簡単な説明】
【００３５】
【図１】本発明に係るマッサージ具の構成を示す断面図である。
【図２】本発明に係るマッサージ具の製造に適用する負電荷付与装置を示す斜視図である。
【符号の説明】
【００３６】
２    モータ
４    ガラス容器
５    導電被覆部材
５ａ  貫通孔
【図１】
2005320306.tif 000005
【図２】
2005320306.tif 000006